(57)【要約】【課題】本明細書では、フォワードアクセスチャネル（Ｃｅｌｌ  ＦＡＣＨ）状態にあるホームノードＢ（ＨＮＢ）モビリティを管理するためのシステムおよび方法が開示されている。【解決手段】一態様によれば、一方法は、ワイヤレス送信／受信ユニット（ＷＴＲＵ）側に実装されうる。方法は、延長測定機会に対する指示をネットワークノードに伝達するかどうかを決定することを含みうる。さらに、方法は、指示を伝達することを決定したことに応答してネットワークノードに指示を伝達することを含みうる。【選択図】図４
2015195600.tif 000002
【特許請求の範囲】
【請求項１】
セルフォワードアクセスチャネル（ＣＥＬＬ＿ＦＡＣＨ）状態におけるワイヤレス送信／受信ユニット（ＷＴＲＵ）のモビリティを可能にするための方法であって、
前記ＷＴＲＵにおいて、測定を実行するために、フォワードアクセスチャネル（ＦＡＣＨ）測定機会または不連続受信（ＤＲＸ）の長さを決定するステップと、
前記ＷＴＲＵにおいて、前記ＷＴＲＵが限定加入者グループ（ＣＳＧ）セルまたはハイブリッドセルへの近接の範囲内であることを決定するステップと、
前記ＷＴＲＵが前記ＣＳＧセルまたは前記ハイブリッドセルへの前記近接の範囲内であると決定されるとき、前記ＣＳＧセルまたは前記ハイブリッドセル上で前記測定を実行するために、前記ＦＡＣＨ測定機会または前記ＤＲＸの長さを延長するステップと、
前記ＷＴＲＵにおいて、前記ＣＳＧセルまたは前記ハイブリッドセル上で前記測定を実行するために延長ＦＡＣＨ測定機会または延長ＤＲＸの長さを利用するステップと
を含むことを特徴とする方法。
【請求項２】
前記延長ＦＡＣＨ測定機会または前記延長ＤＲＸの長さについての要求をネットワークノードに送信するステップと、
前記延長ＦＡＣＨ測定機会または前記延長ＤＲＸの長さを利用するために、インジケーションを前記ネットワークノードから受信するステップであって、前記ネットワークノードからの前記インジケーションは、前記延長ＦＡＣＨ測定機会または前記延長ＤＲＸの長さを含み、前記ＦＡＣＨ測定機会または前記ＤＲＸの長さは前記ネットワークノードからの前記インジケーションに基づいて延長される、ステップと
をさらに含むことを特徴とする請求項１に記載の方法。
【請求項３】
前記要求は、前記ＣＳＧセルまたは前記ハイブリッドセルへの前記ＷＴＲＵの前記近接が所定の閾値内であるとき、前記ネットワークノードに送信されることを特徴とする請求項２に記載の方法。
【請求項４】
前記要求を送信するステップは、無線リソース制御（ＲＲＣ）メッセージングを介して前記要求を送信するステップを含むことを特徴とする請求項２に記載の方法。
【請求項５】
前記要求を送信するステップは、セル更新メッセージを介して前記要求を送信するステップを含むことを特徴とする請求項２に記載の方法。
【請求項６】
前記インジケーションは、前記延長ＦＡＣＨ測定機会または前記延長ＤＲＸの長さについての前記要求の受信を確認するための前記ネットワークノードからの肯定応答メッセージを含むことを特徴とする請求項２に記載の方法。
【請求項７】
前記延長ＦＡＣＨ測定機会または前記延長ＤＲＸの長さは、セル再選択のために利用されることを特徴とする請求項１に記載の方法。
【請求項８】
前記ＷＴＲＵは、前記ＣＥＬＬ＿ＦＡＣＨ状態にあることを特徴とする請求項１に記載の方法。
【請求項９】
前記延長ＦＡＣＨ測定機会または前記延長ＤＲＸの長さは、前記ＣＳＧセルまたは前記ハイブリッドセルに関連付けられたシステム情報ブロック（ＳＩＢ）を読み取るために使用されることを特徴とする請求項１に記載の方法。
【請求項１０】
前記ＦＡＣＨ測定機会または前記ＤＲＸの長さは、前記延長ＦＡＣＨ測定機会または前記延長ＤＲＸの長さを利用するためにネットワークノードからのインジケーションに基づいて延長されることを特徴とする請求項１に記載の方法。
【請求項１１】
前記インジケーションは、前記ネットワークノードが前記延長ＦＡＣＨ測定機会または前記延長ＤＲＸの長さの間、前記ＷＴＲＵへのデータの送信を妨げることを示すことを特徴とする請求項１０に記載の方法。
【請求項１２】
前記延長ＦＡＣＨ測定機会または前記延長ＤＲＸの長さは、前記ＦＡＣＨ測定機会または前記ＤＲＸの長さの倍数を含むことを特徴とする請求項１に記載の方法。
【請求項１３】
バックオフタイマーを適用するステップをさらに含み、前記延長ＦＡＣＨ測定機会または前記延長ＤＲＸの長さを利用するステップは、前記バックオフタイマーが満了すると前記延長ＦＡＣＨ測定機会または前記延長ＤＲＸの長さを利用するステップを含むことを特徴とする請求項１に記載の方法。
【請求項１４】
ワイヤレス送信／受信ユニット（ＷＴＲＵ）であって、
測定を実行するために、フォワードアクセスチャネル（ＦＡＣＨ）測定機会または不連続受信（ＤＲＸ）の長さを決定し、
前記ＷＴＲＵが限定加入者グループ（ＣＳＧ）セルまたはハイブリッドセルへの近接の範囲内であることを決定し、
前記ＷＴＲＵが前記ＣＳＧセルまたは前記ハイブリッドセルへの前記近接の範囲内であると決定されるとき、前記ＣＳＧセルまたは前記ハイブリッドセル上で前記測定を実行するために、前記ＦＡＣＨ測定機会または前記ＤＲＸの長さを延長し、
前記ＣＳＧセルまたは前記ハイブリッドセル上で前記測定を実行するために延長ＦＡＣＨ測定機会または延長ＤＲＸの長さを利用するように構成された
プロセッサを備えたことを特徴とするＷＴＲＵ。
【請求項１５】
前記延長ＦＡＣＨ測定機会または前記延長ＤＲＸの長さは、セル再選択のために利用されることを特徴とする請求項１４に記載のＷＴＲＵ。
【請求項１６】
前記延長ＦＡＣＨ測定機会または前記延長ＤＲＸの長さは、前記ＣＳＧセルまたは前記ハイブリッドセルに関連付けられたシステム情報ブロック（ＳＩＢ）を読み取るために使用されることを特徴とする請求項１４に記載のＷＴＲＵ。
【請求項１７】
前記プロセッサは、ネットワークノードから受信されたインジケーションに基づいて前記ＦＡＣＨ測定機会または前記ＤＲＸの長さを延長して、前記延長ＦＡＣＨ測定機会または前記延長ＤＲＸの長さを利用するように構成されたことを特徴とする請求項１４に記載のＷＴＲＵ。
【請求項１８】
前記ネットワークノードからの前記インジケーションは、前記ネットワークノードが前記延長ＦＡＣＨ測定機会または前記延長ＤＲＸの長さの間、前記ＷＴＲＵへのデータの送信を妨げることを示すことを特徴とする請求項１７に記載のＷＴＲＵ。
【請求項１９】
前記延長ＦＡＣＨ測定機会または前記延長ＤＲＸの長さは、前記ＦＡＣＨ測定機会または前記ＤＲＸの長さの倍数を含むことを特徴とする請求項１４に記載のＷＴＲＵ。
【請求項２０】
前記プロセッサは、バックオフタイマーを適用するように構成され、前記プロセッサは、前記バックオフタイマーが満了すると前記延長ＦＡＣＨ測定機会または前記延長ＤＲＸの長さを利用するように構成されたことを特徴とする請求項１４に記載のＷＴＲＵ。
【請求項２１】
前記プロセッサは、
送受信機を介して、前記延長ＦＡＣＨ測定機会または前記延長ＤＲＸの長さについての要求をネットワークノードに送信し、
前記延長ＦＡＣＨ測定機会または前記延長ＤＲＸの長さを利用するために、インジケーションを前記ネットワークノードから受信し、前記ネットワークノードからの前記インジケーションは、前記延長ＦＡＣＨ測定機会または前記延長ＤＲＸの長さを含み、前記ＦＡＣＨ測定機会または前記ＤＲＸの長さは、前記ネットワークノードからの前記インジケーションに基づいて延長されるように構成されたことを特徴とする請求項１４に記載のＷＴＲＵ。
【請求項２２】
前記要求は、前記ＣＳＧセルまたは前記ハイブリッドセルへの前記ＷＴＲＵの前記近接が所定の閾値内であるとき、前記ネットワークノードに送信されることを特徴とする請求項２１に記載のＷＴＲＵ。
【請求項２３】
前記プロセッサは、無線リソース制御（ＲＲＣ）メッセージングを介して前記要求を送信するように構成されたことを特徴とする請求項２１に記載のＷＴＲＵ。
【請求項２４】
前記プロセッサは、セル更新メッセージを介して前記要求を送信するように構成されたことを特徴とする請求項２１に記載のＷＴＲＵ。
【請求項２５】
前記インジケーションは、前記延長ＦＡＣＨ測定機会または前記延長ＤＲＸの長さについての前記要求の受信を確認するための前記ネットワークノードからの肯定応答メッセージを含むことを特徴とする請求項２１に記載のＷＴＲＵ。
【発明の詳細な説明】
【技術分野】
【０００１】
本発明は、無線通信技術に関する。
関連出願の相互参照
本出願は、参照により内容全体が本明細書に組み込まれている、２０１０年６月１８日に出願した米国仮特許出願第６１／３５６，４８１号、２０１０年８月１６日に出願した米国仮特許出願第６１／３７４，１８０号、２０１０年１０月１日に出願した米国仮特許出願第６１／３８８，９８９号、および２０１１年４月１日に出願した米国仮特許出願第６１／４７０，７２６号の利益を主張するものである。
【背景技術】
【０００２】
ＵＴＲＡＮ  Ｒ９におけるホームノードＢ（ＨＮＢ）モビリティは、ワイヤレス送信／受信ユニット（ＷＴＲＵ）（本明細書ではユーザー機器（ＵＥ）とも称する）がアイドルモードまたは接続モードのいずれかである場合に適用されうる。前者のモードでは、ＷＴＲＵは、信号強度およびメンバーシップステータスを含みうる、いくつかの基準を満たす必要があると思われるセル再選択を実行することによってＨＮＢ内に移動する（またはＨＮＢから出る）ことができる。ＷＴＲＵは、ＨＮＢが属している限定加入者グループ（ＣＳＧ）のセルまたはハイブリッドセルのメンバーであるかどうかを、ホワイトリスト内に有しているＣＳＧ識別（ＣＳＧ  ＩＤ）をＣＳＧセルによってブロードキャストされるＣＳＧ  ＩＤと比較することによって知ることができる。セルは、ＭＩＢ内のＣＳＧインジケータビットの値をチェックすることによってＣＳＧまたはハイブリッドセルであると知られることに留意されたい。さらに、ＣＳＧ  ＩＤは、ＳＩＢ３を読み取ることによって取り出すことができる。ＨＮＢ内へのアイドルモード再選択は、送信元基地局（例えば、ＮＢまたはＨＮＢ）との相互のやり取りなしでＷＴＲＵによって実行されうる。
【０００３】
Ｃｅｌｌ＿ＤＣＨ接続モードにおいて、ＷＴＲＵは、可能な接近指示および測定結果報告機能に基づきＨＮＢにハンドオーバーされうる。接近指示（ＣＳＧセルまたはハイブリッドセルが存在しうる場所にＷＴＲＵが入るか、また出ようとしていることを示しうる）を送信するために、ＷＴＲＵは、最初に無線リソース制御（ＲＲＣ）メッセージングを介してそうするように構成されうる。ＷＴＲＵが接近指示を送信する場合、ＮＢは、いくつかのセル上で測定を実行するようＷＴＲＵに要求を送信し、セルからのＣＳＧ  ＩＤおよびＷＴＲＵがメンバーであるかどうかを読み取り、報告することができる。
【０００４】
セルフォワードアクセスチャネル（ｃｅｌｌ  ｆｏｒｗａｒｄ  ａｃｃｅｓｓ  ｃｈａｎｎｅｌ）（Ｃｅｌｌ＿ＦＡＣＨ）状態のＨＮＢモビリティは、典型的には、トラフィック量報告を除き、接続動作モードであると考えられるけれども、Ｃｅｌｌ＿ＦＡＣＨで送信するＷＴＲＵは、典型的には、基地局（例えば、ＮＢまたはＨＮＢ）への測定結果報告を実行しない。しかし、ＷＴＲＵは、それでも、例えばセル再選択を実行することを目的として他のセル（例えば、周波数間またはＲＡＴ間の）を測定することができる。ＷＴＲＵは、別のセルに再選択する場合、セル更新手順を実行し、例えば、ＷＴＲＵがＣｅｌｌ＿ＦＡＣＨでユーザープレーンおよび制御プレーンデータを受信できるときにＵＴＲＡＮにセルレベルでその新しい位置を知らせることができる。ＷＴＲＵがＣｅｌｌ＿ＦＡＣＨにおける新しいセルに再選択しない場合であっても、ＷＴＲＵは、セル更新手順を実行することができる（例えば、定期的セル更新タイマーのタイムアウト後に）。Ｃｅｌｌ＿ＦＡＣＨで測定を実行するために、ＷＴＲＵは、典型的には、ＷＴＲＵに送信するデータがない機会−ＦＡＣＨ測定機会と称される−を利用する。ＦＡＣＨ測定機会は、典型的には、１０ミリ秒の倍数である固定長を有し、ＷＴＲＵに知られているいくつかのパラメータに従って繰り返される。
【０００５】
Ｃｅｌｌ＿ＦＡＣＨ内にある間にＨＮＢへのインバウンドモビリティを実行するために、ＷＴＲＵは、ＣＳＧ  ＩＤを識別することを目的としてＨＮＢのＭＩＢおよびＳＩＢ３を読み取る必要があり、したがってそれがメンバーであるかないかを検証する必要がある場合がある（ＷＴＲＵのホワイトリスト内のＩＤとの比較結果に基づき）。生じる可能性のある問題は、（１）ＦＡＣＨ測定機会が、他の周波数またはＲＡＴのターゲットセルのＭＩＢおよび／またはＳＩＢ３を読み取るのに十分に長くはない場合がある、および（２）ＦＡＣＨ測定機会が、（潜在的な）ターゲットＨＮＢのＭＩＢおよび／またはＳＩＢ３がブロードキャストされるタイミングと一致しない場合があるという２つの問題である。ＷＴＲＵがＨＮＢセルのＭＩＢ／ＳＩＢ３を取得するためにその測定機会を延長することを自律的に選択することができるとはいっても、送信元セルにおけるＨＮＢは、ＷＴＲＵの非存在に気づかない可能性があるためそうしている間にデータを失うことがある。
【０００６】
Ｃｅｌｌ＿ＦＡＣＨモビリティに関連する別の問題は、ターゲットＨＮＢによるＷＴＲＵのコンテキストをフェッチする手順を必要とすることである（つまり、両方が同じＨＮＢゲートウェイ（ＨＮＢ−ＧＷ）に接続されている、送信元ＨＮＢから）。この問題は、同じＨＮＢ  ＧＷに接続されている異なるＨＮＢによって２つまたはそれ以上のＷＴＲＵに同じＵ−ＲＮＴＩを割り当てるせいで生じる可能性がある。Ｕ−ＲＮＴＩの内容は、無線ネットワークコントローラ識別子（ＲＮＣ  ＩＤ）およびサービングＲＮＴＩ（Ｓ−ＲＮＴＩ）を含みうる。ＲＮＣ  ＩＤは、ＨＮＢ  ＧＷの識別である。Ｓ−ＲＮＴＩは、ＨＮＢによって割り当てられる。例えば、２つのＨＮＢが、同じＳ−ＲＮＴＩをＨＮＢのサービスを受けている異なるＷＴＲＵに偶然割り当てた場合、ＷＴＲＵは、両方のＨＮＢが同じＨＮＢ  ＧＷに接続されているのでＲＮＣ  ＩＤが通常であるのと同じＵ−ＲＮＴＩを有することができる。このようなシナリオでは、ＷＴＲＵが潜在的なターゲットＨＮＢ（Ｃｅｌｌ＿ＦＡＣＨモビリティの一部として）へのセル更新を実行する場合、ＷＴＲＵは、識別のためにＵ−ＲＮＴＩを供給することができる。これにより、ターゲットＨＮＢは、ＷＴＲＵのコンテキストをフェッチすることを目的として送信元ＨＮＢに接触することが可能になりうる。ＷＴＲＵコンテキストは、コンテキストＩＤによって識別され、ＷＴＲＵの構成に関する情報（例えば、ＲＡＢ情報）を含むものとしてよいことに留意されたい。ターゲットＨＮＢは、最初に、ＨＮＢ  ＧＷと接触し、次いで、注目しているＷＴＲＵのＵ−ＲＮＴＩを供給することができる。次いで、ＨＮＢ  ＧＷは、供給されたＵ−ＲＮＴＩに基づきコンテキストＩＤをマップすることを試みるものとしてよい。しかし、２つまたはそれ以上のＷＴＲＵが同じＵ−ＲＴＮＩを有する場合、ＨＮＢ  ＧＷは、同じＵ−ＲＴＮＩに割り当てられているＷＴＲＵのそれぞれについて１つずつ、２つのコンテキストＩＤを取得することができる。この時点で、ＨＮＢ  ＧＷ／ターゲットＨＮＢは、Ｕ−ＲＴＮＩの非一意性によりＷＴＲＵの適切なコンテキストをフェッチすることができない。
【０００７】
Ｃｅｌｌ＿ＦＡＣＨモビリティに関係する他の問題は、ＣＳＧセルと非ＣＳＧセルとの混合で構成されている隣接セルリスト（ＮＣＬ）の取り扱いを伴う。例えば、ＮＣＬ内にメンバーでないＣＳＧセルを検出したときのＣＳＧ対応できるＷＴＲＵの挙動に関係する問題がある。
【０００８】
したがって、前述の問題を解決するためのシステムおよび方法を提供する必要がある。
【発明の概要】
【０００９】
本明細書で開示されているのは、Ｃｅｌｌ＿ＦＡＣＨ状態にあるＨＮＢモビリティを管理するためのシステムおよび方法である。一態様によれば、一方法はＷＴＲＵ側に実装されうる。方法は、延長測定機会（ｅｘｔｅｎｄｅｄ  ｍｅａｓｕｒｅｍｅｎｔ  ｏｃｃａｓｉｏｎ）に対する指示をネットワークノードに伝達するかどうかを決定することを含みうる。さらに、方法は、指示を伝達することを決定したことに応答してネットワークノードに指示を伝達することを含みうる。
【００１０】
別の態様によれば、一方法は、ＷＴＲＵにサービスを提供するネットワークノード側に実装されうる。方法は、延長測定機会に対する指示をＷＴＲＵから受信することを含みうる。さらに、方法は、指示を受信したことに応答してＷＴＲＵへの送信のトラフィックが生じるのを防ぐことを含みうる。
【００１１】
さらに別の態様によれば、ＷＴＲＵ側に実装される一方法は、ＷＴＲＵがＮＣＬ内のセルのメンバーでないと判定することを含みうる。方法は、ＷＴＲＵがセルのメンバーでないと判定したことに応答してセルとの活動を制限することも含みうる。
【００１２】
この「発明の概要」では、以下の「発明を実施するための形態」でさらに説明される簡素化された形式の概念の選択を導入する。この「課題を解決するための手段」は、請求されている主題の鍵となる特徴または本質的特徴を明示することを意図しておらず、また請求されている主題の範囲を制限するために使用されることも意図していない。さらに、請求されている発明対象は、本開示の任意の部分において明記されているどれか、またはすべての不利点を解決する制限に限定されることはない。
【図面の簡単な説明】
【００１３】
【図１】１つまたは複数の本明細書で開示されている実施形態が実装されうる例示的な通信システムのシステム図である。
【図２】図１に例示されている通信システム内で使用されうる例示的なＷＴＲＵ、例えば、ＵＥのシステム図である。
【図３】図１に例示されている通信システム内で使用されうる例示的な無線アクセスネットワークおよび例示的なコアネットワークのシステム図である。
【図４】本開示の実施形態による１つまたは複数の延長測定機会に対する指示をネットワークに送信する例示的な方法の流れ図である。
【図５】本開示の実施形態により隣接セルリストを取り扱う例示的な方法の流れ図である。
【発明を実施するための形態】
【００１４】
実施形態によれば、本明細書で開示されているシステムおよび方法は、ＮＢまたは他のネットワークノードに対して、ＷＴＲＵがＦＡＣＨ測定機会より長いある期間にわたって非存在であることを知らせて、ＷＴＲＵが送信元セルからのデータを喪失しないようにし、またＨＮＢセルのＭＩＢ／ＳＩＢ３をフェッチできる十分な時間をＷＴＲＵに与えることができる。それに加えて、本明細書で開示されているシステムおよび方法を使用して、サービングセルによりＷＴＲＵへアドレッシングされるトラフィックまたは情報を失う危険なしにＷＴＲＵを強制的に、ＷＴＲＵが周波数間またはＲＡＴ間測定を実行することができる状態にすることができる。さらに、Ｃｅｌｌ＿ＦＡＣＨモードのＷＴＲＵが別のセルに再選択する場合、ＷＴＲＵは、セル更新手順を使用することができる。新しいセルは、ＣＳＧセルであってよい。このようなシナリオでは、ＨＮＢは、アクセス制御実行するためにコアネットワーク（ＣＮ）のクエリーを必要とすることがある。本開示のいくつかの実施形態によれば、典型的なＨＯ手順の外でアクセス制御を実行するようにＣＮにクエリーを実行するためのシステムおよび方法が提供される。さらに、ＣＮに対して透過的であるセル再選択を実行することも必要になる場合がある。本明細書で開示されているのは、ＷＴＲＵがＣＮの関与を必要としない形でターゲットＨＮＢのＣＳＧへのメンバーシップを有することを確実にするためのシステムおよび方法である。
【００１５】
ＷＴＲＵが送信元セルからのデータを喪失しないことを確実にし、ＷＴＲＵにターゲットＨＮＢセルのＭＩＢ／ＳＩＢ３を取り出す十分な時間を与えられるようにするために、ＷＴＲＵは、例えば、ＷＴＲＵがデフォルトのＦＡＣＨ測定機会よりも長いある時間にわたって非存在であることをネットワークに知らせるための指示をネットワーク（送信元ノード、つまり、ＨＮＢもしくはＲＮＣ）に送ることができる。例えば、ＷＴＲＵは、潜在的なターゲットＣＳＧまたはハイブリッドセルのＭＩＢおよび／またはＳＩＢ３を読み取るためにＷＴＲＵが１つまたは複数の延長測定機会を必要とすることを示す指示を、ＨＮＢまたはＲＮＣなどのネットワークの送信元ノードに送信することができる。この指示は、延長測定機会を利用する許可を求めるＷＴＲＵによる要求として使用されうる。ＷＴＲＵからの指示に応答して、送信元ノードは、ＷＴＲＵに送信されるデータがない延長時間を与えることができる。
【００１６】
図１は、１つまたは複数の開示されている実施形態が実装されうる例示的な通信システム１００の図である。通信システム１００は、音声、データ、動画像、メッセージング、放送などのコンテンツを複数のワイヤレスユーザーに提供する多元接続システムであるものとしてよい。通信システム１００は、ワイヤレス帯域を含む、システムリソースの共有を通じて複数のワイヤレスユーザーがそのようなコンテンツにアクセスすることを可能にするものとしてよい。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および同様のものなどの１つまたは複数のチャネルアクセス方法を使用することができる。
【００１７】
図１に示されているように、通信システム１００は、ＷＴＲＵ  １０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むものとしてよいが、開示されている実施形態では、任意の数のＷＴＲＵ、基地局、ネットワーク、および／またはネットワーク要素を企図していることが理解されるであろう。ＷＴＲＵ  １０２ａ、１０２ｂ、１０２ｃ、１０２ｄのそれぞれは、ワイヤレス環境において動作し、および／または通信するように構成された任意の種類のデバイスとすることができる。例えば、ＷＴＲＵ  １０２ａ、１０２ｂ、１０２ｃ、１０２ｄはワイヤレス信号を送信し、および／または受信するように構成することができ、ユーザー装置（ＵＥ）、移動局、固定または移動加入者ユニット、ポケベル、携帯電話、携帯情報端末（ＰＤＡ）、スマートフォン、ラップトップ、ノートブック、パーソナルコンピュータ、ワイヤレスセンサー、家庭用電化製品、および同様のものを含みうる。
【００１８】
通信システム１００は、基地局１１４ａおよび基地局１１４ｂを備えることもできる。基地局１１４ａ、１１４ｂのそれぞれは、コアネットワーク１０６、インターネット１１０、および／またはネットワーク１１２などの、１つまたは複数の通信ネットワークへのアクセスが円滑に行われるようにＷＴＲＵ  １０２ａ、１０２ｂ、１０２ｃ、１０２ｄのうちの少なくとも１つのＷＴＲＵとワイヤレス方式でインターフェースする構成をとる任意の種類のデバイスとすることができる。例えば、基地局１１４ａ、１１４ｂは、ＢＴＳ（トランシーバ基地局）、ノードＢ、ｅＮｏｄｅＢ、ホームノードＢ、ホームｅＮｏｄｅＢ、サイトコントローラ、アクセスポイント（ＡＰ）、ワイヤレスルーター、および同様のものとすることができる。基地局１１４ａ、１１４ｂは、それぞれ、単一要素として示されているが、基地局１１４ａ、１１４ｂは任意の数の相互接続された基地局および／またはネットワーク要素を備えることができることは理解されるであろう。
【００１９】
基地局１１４ａは、基地局制御装置（ＢＳＣ）、無線ネットワークコントローラ（ＲＮＣ）、中継ノードなどの、他の基地局および／またはネットワーク要素（図示せず）も備えることができる、ＲＡＮ  １０４の一部であってもよい。基地局１１４ａおよび／または基地局１１４ｂは、セル（図示せず）とも称されうる、特定の地理的領域内でワイヤレス信号を送信し、および／または受信するように構成されうる。セルは、いくつかのセルセクターにさらに分割されうる。例えば、基地局１１４ａに関連付けられているセルは、３つのセクターに分割されうる。そこで、一実施形態において、基地局１１４ａは、３つのトランシーバ、つまり、セルのセクター毎にトランシーバを１つずつ備えることができる。別の実施形態において、基地局１１４ａは、マルチ入力マルチ出力（ＭＩＭＯ）技術を使用することができ、したがって、セルのそれぞれのセクターに対して複数のトランシーバを使用することができる。
【００２０】
基地局１１４ａ、１１４ｂは、ＷＴＲＵ  １０２ａ、１０２ｂ、１０２ｃ、１０２ｄのうちの１つまたは複数と、任意の好適なワイヤレス通信リンク（例えば、無線周波数（ＲＦ）、マイクロ波、赤外線（ＩＲ）、紫外線（ＵＶ）、可視光などの）であってよい、エアーインターフェース１１６を介して通信することができる。エアーインターフェース１１６は、任意の好適な無線アクセス技術（ＲＡＴ）を使用して設置することができる。
【００２１】
より具体的には、上記のように、通信システム１００は多元接続システムとすることができ、ＣＤＭＡ、ＴＤＭＡ、ＦＤＭＡ、ＯＦＤＭＡ、ＳＣ−ＦＤＭＡ、および同様のものなどの、１つまたは複数のチャネルアクセス方式を使用することができる。例えば、ＲＡＮ  １０４内の基地局１１４ａ、およびＷＴＲＵ  １０２ａ、１０２ｂ、１０２ｃでは、広帯域ＣＤＭＡ（ＷＣＤＭＡ（登録商標））を使用してエアーインターフェース１１６を設置することができる、ユニバーサルモバイル通信システム（ＵＭＴＳ）地上波無線アクセス（ＵＴＲＡ）などの無線技術を実装することができる。ＷＣＤＭＡは、高速パケットアクセス（ＨＳＰＡ）および／または発展型ＨＳＰＡ（ＨＳＰＡ＋）などの通信プロトコルを備えることができる。ＨＳＰＡは、高速ダウンリンクパケットアクセス（ＨＳＤＰＡ）および／または高速アップリンクパケットアクセス（ＨＳＵＰＡ）を備えることができる。
【００２２】
別の実施形態において、基地局１１４ａおよびＷＴＲＵ  １０２ａ、１０２ｂ、１０２ｃは、ロングタームエボリューション（ＬＴＥ）および／またはＬＴＥ−Ａｄｖａｎｃｅｄ（ＬＴＥ−Ａ）を使用してエアーインターフェース１１６を設置することができる、発展型ＵＭＴＳ地上無線アクセス（Ｅ−ＵＴＲＡ）などの無線技術を実装することができる。
【００２３】
他の実施形態において、基地局１１４ａおよびＷＴＲＵ  １０２ａ、１０２ｂ、１０２ｃは、ＩＥＥＥ８０２．１６（つまり、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  ＩＸ、ＣＤＭＡ２０００  ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、ＧＳＭ  ＥＤＧＥ（ＧＥＲＡＮ）、および同様のものなどの無線技術を実装することができる。
【００２４】
図１の基地局１１４ｂは、例えば、ワイヤレスルーター、ホームノードＢ、ホームｅＮｏｄｅＢ、またはアクセスポイントとすることができ、事業所、家庭、自動車、キャンパス、および同様のものなどの、局在化されたエリア内でワイヤレス接続を円滑に行えるようにするために好適なＲＡＴを利用することができる。一実施形態において、基地局１１４ｂおよびＷＴＲＵ  １０２ｃ、１０２ｄは、ワイヤレスローカルエリアネットワーク（ＷＬＡＮ）を設置するためにＩＥＥＥ８０２．１１などの無線技術を実装することができる。別の実施形態において、基地局１１４ｂおよびＷＴＲＵ  １０２ｃ、１０２ｄは、ワイヤレスパーソナルエリアネットワーク（ＷＰＡＮ）を設置するためにＩＥＥＥ８０２．１５などの無線技術を実装することができる。さらに別の実施形態において、基地局１１４ｂおよびＷＴＲＵ  １０２ｃ、１０２ｄは、ピコセルまたはフェムトセルを設置するためにセルラーベースのＲＡＴ（例えば、ＷＣＤＭＡ、ＣＤＭＡ２０００、ＧＳＭ、ＬＴＥ、ＬＴＥ−Ａなど）を利用することができる。図１に示されているように、基地局１１４ｂは、インターネット１１０との直接接続を有することができる。そうすると、基地局１１４ｂは、コアネットワーク１０６を介してインターネット１１０にアクセスする必要がなくなる。
【００２５】
ＲＡＮ  １０４は、コアネットワーク１０６と通信しているものとしてよく、このコアネットワーク１０６は、音声、データ、アプリケーション、および／またはボイスオーバーインターネットプロトコル（ＶｏＩＰ）サービスをＷＴＲＵ  １０２ａ、１０２ｂ、１０２ｃ、１０２ｄのうちの１つまたは複数のＷＴＲＵに提供するように構成された任意の種類のネットワークであってよい。例えば、コアネットワーク１０６は、呼制御、課金サービス、モバイル位置情報サービス、前払い制通話、インターネット接続性、映像配信などを提供し、および／またはユーザー認証などの高水準のセキュリティ機能を実行することができる。図１には示されていないけれども、ＲＡＮ  １０４および／またはコアネットワーク１０６は、ＲＡＮ  １０４と同じＲＡＴ、または異なるＲＡＴを使用する他のＲＡＮと直接的な、または間接的な通信を行うことができることが理解されるであろう。例えば、Ｅ−ＵＴＲＡ無線技術を使用している可能性のある、ＲＡＮ  １０４に接続されることに加えて、コアネットワーク１０６は、ＧＳＭ無線技術を採用する別のＲＡＮ（図示せず）と通信していることもある。
【００２６】
コアネットワーク１０６は、ＷＴＲＵ  １０２ａ、１０２ｂ、１０２ｃ、１０２ｄがＰＳＴＮ  １０８、インターネット１１０、および／または他のネットワーク１１２にアクセスするためのゲートウェイとしても機能しうる。ＰＳＴＮ  １０８は、旧来の電話サービス（ＰＯＴＳ）を提供する回線交換電話網を含むものとしてよい。インターネット１１０は、ＴＣＰ／ＩＰインターネットプロトコル群に含まれる伝送制御プロトコル（ＴＣＰ）、ユーザーデータグラムプロトコル（ＵＤＰ）、およびインターネットプロトコル（ＩＰ）などの、共通通信プロトコルを使用する相互接続されたコンピューターネットワークおよびデバイスの地球規模のシステムを含むことができる。ネットワーク１１２は、他のサービスプロバイダによって所有され、および／または運営される有線もしくはワイヤレス通信ネットワークを含むことができる。例えば、ネットワーク１１２は、ＲＡＮ  １０４と同じＲＡＴ、または異なるＲＡＴを使用することができる、１つまたは複数のＲＡＮに接続された別のコアネットワークを含むことができる。
【００２７】
通信システム１００内のＷＴＲＵ  １０２ａ、１０２ｂ、１０２ｃ、１０２ｄのうちのいくつか、またはすべてがマルチモード機能（ｍｕｌｔｉ−ｍｏｄｅ  ｃａｐａｂｉｌｉｔｉｅｓ）を備える。つまり、ＷＴＲＵ  １０２ａ、１０２ｂ、１０２ｃ、１０２ｄは、異なるワイヤレスリンク上で異なるワイヤレスネットワークと通信するための複数のトランシーバを備えることができる。例えば、図１に示されているＷＴＲＵ  １０２ｃは、セルラーベースの無線技術を使用している可能性のある、基地局１１４ａと、またＩＥＥＥ８０２無線技術を使用している可能性のある、基地局１１４ｂと通信するように構成することができる。
【００２８】
図２は、例示的なＷＴＲＵ  １０２のシステム図である。図２に示されているように、ＷＴＲＵ  １０２は、プロセッサ１１８、トランシーバ１２０、送信／受信要素１２２、スピーカー／マイクロホン１２４、キーパッド１２６、ディスプレイ／タッチパッド１２８、非リムーバブルメモリ１３０、リムーバブルメモリ１３２、電源１３４、全世界測位システム（ＧＰＳ）チップセット１３６、および他の周辺機器１３８を備えることができる。ＷＴＲＵ  １０２は、一実施形態との整合性を維持しながら前記の要素の部分的組み合わせを備えることができることが理解されるであろう。
【００２９】
プロセッサ１１８は、汎用プロセッサ、専用プロセッサ、従来型のプロセッサ、デジタルシグナルプロセッサ（ＤＳＰ）、複数のマイクロプロセッサ、ＤＳＰコアとの関連性を持つ１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の種類の集積回路（ＩＣ）、状態機械、および同様のものとすることができる。プロセッサ１１８は、信号符号化、データ処理、電力制御、入出力処理、および／またはＷＴＲＵ  １０２がワイヤレス環境内で動作することを可能にする他の機能性を実行することができる。プロセッサ１１８は、送信／受信要素１２２に結合されうる、トランシーバ１２０に結合することができる。図２は、プロセッサ１１８およびトランシーバ１２０を別々のコンポーネントとして表しているが、プロセッサ１１８およびトランシーバ１２０は、電子パッケージまたはチップ内にまとめて集積化されうることが理解されるであろう。
【００３０】
送信／受信要素１２２は、エアーインターフェース１１６上で基地局（例えば、基地局１１４ａ）に信号を送信するか、または基地局（例えば、基地局１１４ａ）から信号を受信するように構成されうる。例えば、一実施形態において、送信／受信要素１２２は、ＲＦ信号を送信し、および／または受信するように構成されたアンテナとすることができる。別の実施形態において、送信／受信要素１２２は、例えば、ＩＲ、ＵＶ、または可視光信号を送信し、および／または受信するように構成された放射体／検出器とすることができる。さらに別の実施形態において、送信／受信要素１２２は、ＲＦ信号と光信号の両方を送信し、受信するように構成されうる。送信／受信要素１２２は、ワイヤレス信号の組み合わせを送信し、および／または受信するように構成されうることが理解されるであろう。
【００３１】
それに加えて、図２には送信／受信要素１２２は単一の要素として示されているけれども、ＷＴＲＵ  １０２は、任意の数の送信／受信要素１２２を備えることができる。より具体的には、ＷＴＲＵ  １０２は、ＭＩＭＯ技術を採用することができる。そのため、一実施形態において、ＷＴＲＵ  １０２は、エアーインターフェース１１６上でワイヤレス信号を送信し受信するための２つまたはそれ以上の送信／受信要素１２２（例えば、複数のアンテナ）を備えることができる。
【００３２】
トランシーバ１２０は、送信器／受信要素１２２によって送信されるべき信号を変調し、送信／受信要素１２２によって受信された信号を復調するように構成されうる。上記のように、ＷＴＲＵ  １０２は、マルチモード機能を有することができる。そのため、トランシーバ１２０は、例えば、ＵＴＲＡおよびＩＥＥＥ８０２．１１などの複数のＲＡＴを介してＷＴＲＵ  １０２が通信することを可能にするための複数トランシーバを備えることができる。
【００３３】
ＷＴＲＵ  １０２のプロセッサ１１８は、スピーカー／マイクロホン１２４、キーパッド１２６、および／またはディスプレイ／タッチパッド１２８（例えば、液晶ディスプレイ（ＬＣＤ）表示ユニットまたは有機発光ダイオード（ＯＬＥＤ）表示ユニット）に結合され、またそこからユーザー入力データを受け取ることができる。プロセッサ１１８は、ユーザーデータをスピーカー／マイクロホン１２４、キーパッド１２６、および／またはディスプレイ／タッチパッド１２８に出力することもできる。それに加えて、プロセッサ１１８は、非リムーバブルメモリ１３０および／またはリムーバブルメモリ１３２などの、任意の種類の好適なメモリにある情報にアクセスし、データをそのようなメモリに格納することができる。非リムーバブルメモリ１３０としては、ＲＡＭ（ランダムアクセスメモリ）、ＲＯＭ（リードオンリーメモリ）、ハードディスク、または他の種類のメモリストレージデバイスが挙げられる。リムーバブルメモリ１３２としては、加入者識別モジュール（ＳＩＭ）カード、メモリスティック、セキュアデジタル（ＳＤ）メモリカード、および同様のものが挙げられる。他の実施形態において、プロセッサ１１８は、サーバーもしくはホームコンピュータ（図示せず）上など、ＷＴＲＵ  １０２上に物理的に配置されていないメモリにある情報にアクセスし、データをそのようなメモリに格納することができる。
【００３４】
プロセッサ１１８は、電源１３４から電力を受け取り、その電力をＷＴＲＵ  １０２内の他のコンポーネントに分配し、および／または制御するように構成されうる。電源１３４は、ＷＴＲＵ  １０２に給電するための任意の好適なデバイスとすることができる。例えば、電源１３４としては、１つまたは複数の乾電池（例えば、ニッケルカドミウム（ＮｉＣｄ）電池、ニッケル亜鉛（ＮｉＺｎ）電池、ニッケル水素（ＮｉＭＨ）電池、リチウムイオン（Ｌｉ−ｉｏｎ）など）、太陽電池、燃料電池、および同様のものが挙げられる。
【００３５】
プロセッサ１１８は、ＷＴＲＵ  １０２の現在位置に関する位置情報（例えば、経度と緯度）を提供するように構成されうる、ＧＰＳチップセット１３６にも結合されうる。ＧＰＳチップセット１３６からの情報に加えて、またはその代わりに、ＷＴＲＵ  １０２は、基地局（例えば、基地局１１４ａ、１１４ｂ）からエアーインターフェース１１６上で位置情報を受信し、および／または２つもしくはそれ以上の付近の基地局から信号を受信するタイミングに基づきその位置を決定することができる。ＷＴＲＵ  １０２は、一実施形態との整合性を維持しながら任意の好適な位置決定方法を用いて位置情報を取得することができることが理解されるであろう。
【００３６】
プロセッサ１１８は、追加の特徴、機能性、および／または有線もしくはワイヤレス接続性を提供する１つまたは複数のソフトウェアおよび／またはハードウェアモジュールを備えうる、他の周辺機器１３８にさらに結合されるものとしてよい。例えば、周辺機器１３８としては、加速度計、電子コンパス、衛星トランシーバ、デジタルカメラ（写真または動画用）、ＵＳＢ（ユニバーサルシリアルバス）ポート、バイブレーションデバイス、テレビジョントランシーバ、ハンズフリーヘッドセット、ブルートゥース（登録商標）モジュール、周波数変調（ＦＭ）ラジオユニット、デジタル音楽プレーヤー、メディアプレーヤー、ビデオゲームプレーヤーモジュール、インターネットブラウザ、および同様のものが挙げられる。
【００３７】
図４は、本開示の実施形態による１つまたは複数の延長測定機会に対する指示をネットワークに送信する例示的な方法の流れ図である。図４の方法は、図２に示されているＷＴＲＵなどの好適なＷＴＲＵによって実装されうる。
【００３８】
図４を参照すると、方法は、延長測定機会に対する指示をネットワークノードに伝達するかどうかを決定すること（ステップ４００）を含みうることがわかる。例えば、プロセッサ１１８は、１つまたは複数の延長測定機会に対する指示をネットワークノードに伝達するかどうかを決定するための命令を実装することができる。１つまたは複数のイベント構成、および本明細書で開示されている同様のものは、ＷＴＲＵがネットワークノードに指示を伝達することを決定するトリガーとして働きうる。
【００３９】
図４の方法は、指示を伝達することを決定したことに応答してネットワークノードに指示を伝達すること（ステップ４０２）も含みうる。ステップ４００に関して説明されている例を続けて参照すると、プロセッサ１１８は、送信／受信要素１２２が延長測定機会に対する指示を含むメッセージを基地局に伝達することを制御する命令を実装することができることがわかる。メッセージは、ＷＴＲＵにサービスを提供するネットワークノードに伝達されうる。
【００４０】
図４の方法は、延長測定機会に対する指示をＷＴＲＵから受信すること（ステップ４０４）を含みうる。例えば、図１を参照すると、基地局１１４ａは、ＷＴＲＵ  １０２ａに対する１つまたは複数の延長測定機会の指示を含むメッセージをＷＴＲＵ  １０２ａから受信することができることがわかる。メッセージは、ＷＴＲＵ  １０２ａの識別子を含みうる。
【００４１】
さらに、図４の方法は、指示を受信したことに応答してＷＴＲＵへの送信のトラフィックが生じるのを防ぐこと（ステップ４０６）を含みうる。例えば、図１に示されている基地局１１４ａは、受信されたメッセージがＷＴＲＵに対する１つまたは複数の測定機会の指示を含むことを決定するための１つまたは複数のプロセッサを備えることができる。メッセージを受信したことに応答して、基地局１１４ａは、ＷＴＲＵに送信する通信が行われないようにできる。
【００４２】
ＲＡＮ  １０４内のＲＮＣ  １４２ａは、ＩｕＰＳインターフェースを介してコアネットワーク１０６内のＳＧＳＮ  １４８に接続することもできる。ＳＧＳＮ  １４８は、ＧＧＳＮ  １５０に接続することができる。ＳＧＳＮ  １４８およびＧＧＳＮ  １５０は、ＷＴＲＵ  １０２ａ、１０２ｂ、１０２ｃとＩＰ対応デバイスとの間の通信が円滑に行われるように、インターネット  １１０などの、パケット交換ネットワークへのＷＴＲＵ  １０２ａ、１０２ｂ、１０２ｃのアクセスを可能にするものとしてよい。
【００４３】
上で指摘したように、コアネットワーク１０６によって、他のサービスプロバイダによって所有され、および／または運営されている他の有線もしくはワイヤレスネットワークを含んでいる可能性のある、ネットワーク１１２にも接続することできる。
【００４４】
一実施形態では、ＷＴＲＵは、トリガー条件に合致した場合（例えば、ＷＴＲＵがＣＳＧに近接近していると判定すること）およびＷＴＲＵがＣｅｌｌ＿ＤＣＨモードで付近指示を送信するように構成されている場合に延長測定機会の指示を常に送信するように構成されうる。ＷＴＲＵは、これがネットワークノードに十分に近い範囲内にある場合に指示を送信することができる。例えば、ＷＴＲＵは、ＣＳＧへのその接近度が所定の閾値範囲内であるかどうかを判定することができる。それが所定の閾値範囲内にあると判定したことに応答して、指示をネットワークノードに伝達することができる。
【００４５】
別の実施形態では、トリガーは、ＷＴＲＵ側の許可されたＣＳＧ  ＩＤのリストが更新されたことに応答して発生しうる。
【００４６】
別の実施形態では、トリガーは、ＷＴＲＵがＣＳＧセルまたはハイブリッドセルに近接近していることを検出したことに応答して発生しうる。例えば、これは、ＷＴＲＵのフィンガープリント情報に基づくものとしてよい。ＷＴＲＵは、ＣＳＧセルへのその接近度が所定の閾値範囲内であるかどうかを判定することができる。ＷＴＲＵは、ＣＳＧセルへのＷＴＲＵの接近度が所定の閾値範囲内にあると判定したことに応答して指示を伝達することができる。別の実施形態では、トリガーは、ＷＴＲＵがＣＳＧセルまたはハイブリッドセルにもはや近接近していないことを検出したことに応答して発生しうる。指示は、この情報を含んでいてもよい。
【００４７】
別の実施形態では、トリガーは、Ｃｅｌｌ＿ＦＡＣＨモードに入っている間に手動によるＣＳＧ走査および選択を実行する要求に応答して発生しうる。
【００４８】
別の実施形態では、トリガーは、ＷＴＲＵがＲＮＣ、移動通信交換局（ＭＳＣ）／サービング汎用パケット無線サービスサポートノード（ＳＧＳＮ）、またはロケーション／ルーティングエリアを変えたときに生じうる。
【００４９】
別の実施形態では、トリガーは、ＷＴＲＵがＷＴＲＵのホワイトリストに載っているＣＳＧセルまたはハイブリッドセルに近接近していると判定したことに応答して、対応する他の周波数上で好適なセルを検出した後に、発生しうる。ＷＴＲＵは、ＦＡＣＨ測定機会または不連続受信（ＤＲＸ）などの他の種類の測定機会を使用して他の周波数またはＲＡＴ上でプライマリスクランブリングコード（ＰＳＣ）のチャネル品質を測定することができる。その周波数上で好適なセルが発見され、それが接近しているとＷＴＲＵが判定した場合、ＷＴＲＵは、指示をネットワークに送信することができる。
【００５０】
さらに別の実施形態では、ＷＴＲＵは、ＰＳＣに基づき指示をトリガーすることができる。例えば、ＷＴＲＵが、上記のトリガーと組み合わせて、その周波数における好適なＰＳＣまたは最強のＰＳＣがそのホワイトリストに載っているＨＮＢに対応していることも判定する場合に指示が送信されうる。
【００５１】
別の実施形態では、ＷＴＲＵは、別のセルへのセル再選択を実行し、再選択後に上で述べたようなトリガー基準にそれでも合致していると判定することができる。例えば、ＷＴＲＵは、セル再選択を決定したことに応答して指示を伝達するかどうかを決定することができる。上記のトリガー基準は、延長測定機会に対する指示の送信をトリガーする前に組み合わされうることにも留意されたい。
【００５２】
ＷＴＲＵが、延長測定機会に対する支持を受信した場合、ネットワークは、本明細書で説明されているさまざまなアクションの任意の組み合わせを実行することができる。一例において、ＷＴＲＵは、例えば、トリガーイベントおよび／または構成の種類に基づき送信すべき指示の種類を決定することができる。ＷＴＲＵによってネットワークノードまたはネットワークに送信されうる例示的な種類の指示は、ＲＲＣメッセージなどの接近指示を含む。メッセージは、Ｃｅｌｌ＿ＦＡＣＨ状態における接近指示をＣｅｌｌ＿ＤＣＨ状態における類似の接近指示から区別するための追加情報を含みうる。
【００５３】
一実施形態では、ＷＴＲＵは、セル更新メッセージを指示として送信元ネットワークノードに送信することができる。このメッセージは、定期的セル更新タイマーがタイムアウトになっていないが、上述のトリガーの１つまたは複数の条件が合致している場合であっても送信されうる。メッセージは、新しい更新原因、例えば、別の周波数またはＲＡＴ上のＣｅｌｌ＿ＦＡＣＨにおける接近指示を含むことができる。
【００５４】
別の実施形態では、ＲＲＣメッセージは、Ｃｅｌｌ＿ＦＡＣＨにおける指示を与えるためにネットワークノードに送信されうる。
【００５５】
さまざまなアクションが、任意の組み合わせで、延長測定機会に対する指示をネットワークノードまたはネットワークに送信した後にＷＴＲＵによって実行されうる。例えば、指示を送信した後、ＷＴＲＵは、延長測定機会の利用を続けることができる。ＷＴＲＵは、ターゲットＨＮＢ／ＣＳＧ／ハイブリッドセルに再選択するか、または送信元ネットワークノードに戻る／留まることもできる。さらに、ＷＴＲＵは、延長測定機会を利用し、ターゲットＨＮＢ／ＣＳＧ／ハイブリッドセルに再選択するかどうかを決定する前に指示がネットワークノード（例えば、ＮＢまたはＨＮＢ）に送信され、および／またはネットワークノード（例えば、ＮＢまたはＨＮＢ）によって受信されたという確認が届くのを待つことができる。
【００５６】
ＷＴＲＵが受信できる例示的な確認として、限定はしないが、メッセージが送信されたというＷＴＲＵの下位層からの肯定応答（例えば、ＲＬＣ層からの肯定応答）が挙げられる。別の例示的な確認として、送信元（Ｈ）ＮＢ／ＲＮＣからの明示的な肯定応答が挙げられる。別の例示的な確認として、暗黙的な肯定応答が挙げられる（例えば、指示を送信した後のデフォルトの、または事前構成された時間内に送信元ＨＮＢから拒絶メッセージがないことによる）。さらに別の例示的な確認として、ＲＲＣ肯定応答メッセージが挙げられる（例えば、上で説明されているように、指示としてＷＴＲＵによって送信されたＲＲＣメッセージへの応答として）。さらに、例えば、これらの例示的な確認はどれも、好適な仕方で組み合わせることができる。
【００５７】
ネットワークノード（例えば、ＨＮＢ、ＲＮＣ、および同様のもの）が延長測定機会に対する前述の指示のうちの１つもしくは複数、または同等の種類の指示を受信したときに、送信元ノード／ネットワークによって実行される例示的なアクションは、限定はしないが、ＷＴＲＵが延長測定を実行することをネットワークノード側で許すことを含むものとしてよい。さらに、例えば、ネットワークノードは、延長測定機会に基づきＷＴＲＵを宛先とするトラフィックをスケジュールすることができる。ＣＳＧセルまたはハイブリッドセルとして構成されているマクロセルの場合、ＲＮＣは、延長測定機会をＮＢに伝達することができる。次いで、ＮＢは、ＷＴＲＵがそれにアドレッシングされたデータを受け損なわないようにＷＴＲＵに対して高速ダウンリンク共有チャネル（ＨＳ−ＤＳＣＨ）トラフィックなどのトラフィックをスケジュールしながらこの情報を考慮することができる。あるいは、ＲＮＣは、延長測定機会の開始および／または停止点をＮＢに通知することができる。次いで、ＮＢは、延長測定時間間隔ではＷＴＲＵにデータを送信することを回避することができる。
【００５８】
一実施形態では、送信元ノード／ネットワーク（例えば、ＨＮＢ、ＲＮＣ、および同様のもの）は、本明細書で開示されているような肯定応答でＷＴＲＵからの指示に応答することができる。応答は、肯定的である（つまり、ＷＴＲＵは延長測定の実行を許される）か、または否定的である（つまり、ＷＴＲＵは現在の測定機会を使用し続けるべきである）かのいずれかとすることができる。応答は、例えば、ネットワークノードがＷＴＲＵに対するダウンリンクデータを有することに基づくものとしてよい。
【００５９】
ネットワークからの応答が肯定的である場合、ネットワークノードは、Ｃｅｌｌ＿ＦＡＣＨにおける測定にＷＴＲＵが使用することができる延長時間を含みうる。この時間は、割り振られた総時間または現在の測定機会の長さに加えて割り振られる延長時間として解釈することができる。時間に対するＷＴＲＵ側の解釈の仕方のこのような詳細は、ＷＴＲＵに事前に構成することができる。さらに、時間が含まれる場合、これは、ＷＴＲＵによって、事前構成された時間間隔の倍数として、またはＷＴＲＵの現在の測定持続時間の倍数として解釈されうる整数の形態をとるものとしてよい。
【００６０】
肯定的な応答を受信するＷＴＲＵの一実施形態では、ＷＴＲＵは、セルによってブロードキャストされるＦＡＣＨ測定機会サイクル長係数に基づき延長測定機会を適用することができる。それでブロードキャストされる場合であっても、ＷＴＲＵは、ＷＴＲＵが肯定的な応答を受信するまでその係数を適用できないか、またはＷＴＲＵは、例えば、下位層の肯定応答に従って、送信元ＨＮＢ／ＲＮＣに指示を正常に送信できた場合に係数を適用することができる。係数は、例えばＳＩＢ１１またはＳＩＢ１２の一部として送信することができ、これは、例えば、最初に現在の測定係数に加えられるように使用することができ、次いで、その結果を延長期間を計算するために使用することができる。別の例では、係数と現在のＦＡＣＨ測定機会の長さとの積を延長機会として使用することができる。
【００６１】
別の実施形態では、ネットワークは、ＷＴＲＵから示唆されるような延長測定機会を指示することができる。例えば、ＷＴＲＵによって送信された指示において、示唆された延長測定機会は、ＷＴＲＵによって、例えば、潜在的なターゲットＨＮＢ／ＣＳＧ／ハイブリッドセルのＭＩＢ／ＳＩＢ３を読み取る１回または複数回の前の試行に基づき含めることができる。それに加えて、ＦＡＣＨ測定機会サイクル長係数または延長期間の実際の長さも、例えばセル更新確認メッセージまたはＷＴＲＵの延長測定機会要求の受信を確認する他の応答メッセージの一部としてＷＴＲＵに送信される応答においてＷＴＲＵに伝達されうる。
【００６２】
ＷＴＲＵが否定的な応答を受信する一実施形態では、応答は、延長測定機会が許されず、ＷＴＲＵが現在の測定機会期間を使用し続けるべきであるという指令として解釈することができる。別の実施形態では、送信元ＨＮＢ／ＲＮＣは、ＷＴＲＵが延長機会を適用する前に次のＭ番目の機会を待つべきであることを指示することができる−この持続時間をＷＴＲＵに含めるか、またはＷＴＲＵに事前構成することができる。Ｍの値は、応答に含めるか、またはＷＴＲＵに事前構成することができる。ＷＴＲＵ側で否定的な応答を受信しても、ＷＴＲＵがさらなる指示を送信することを禁じられることを意味しないことに留意されたい。一実施形態では、否定的な応答は、ＷＴＲＵがそのような指示の送信を許す専用の構成を受け取るまでＣｅｌｌ＿ＦＡＣＨにおいてＷＴＲＵからそのような指示を送信することを禁止する指示を含んでいてもよい。
【００６３】
ＷＴＲＵからの指示へのネットワークからの上述のアクションおよび／または応答は、肯定的または否定的な応答としてしかるべく使用することができる、セル更新確認、セル更新拒絶、新規ＲＲＣメッセージ、測定構成メッセージ、および同様のものなどのＲＲＣメッセージの形態をとりうることに留意されたい。
【００６４】
上記の技術は、ＤＲＸがＣｅｌｌ＿ＦＡＣＨ状態において構成されている場合に適用可能であり、ＷＴＲＵは、例えば、ネットワークがＣｅｌｌ＿ＦＡＣＨオペレーションに対する通常のＤＲＸパラメータをブロードキャストする場合に、測定するためにＦＡＣＨ測定機会を使用する必要はないことを理解されたい。ＤＲＸパラメータブロードキャストのサイクルがＷＴＲＵに対して十分である場合、ＷＴＲＵは、ネットワークへの接近指示をトリガーする必要はないものとしてよい。そうでない場合、ＷＴＲＵは、上述の指示の１つまたは複数を送信し、次いで、上述の技術のどれかを使用してＤＲＸサイクルを延長することができる。そのため、上述の技術のすべてを、この場合に適用することができ、例えば、専用のシグナリングを介してＤＲＸ延長パラメータをＷＴＲＵにブロードキャストまたは供給することができ、ＷＴＲＵは、この情報を使用して延長ＤＲＸサイクル長を計算することができる。
【００６５】
ＷＴＲＵは、１つまたは複数の延長測定機会に関係する指示をネットワークに送信した後１つまたは複数のさまざまなアクションを実行することができる。例示的な一アクションにおいて、ＷＴＲＵは、例えば、ネットワークからの応答が予想されない場合に、ＦＡＣＨ測定機会または延長ＤＲＸの開始時に延長測定機会を自律的に適用することができる。あるいは、例えば、ＷＴＲＵは、ネットワーク側でそのメッセージを受け取ったという、例えば肯定応答の形の確認を受信するまで延長測定機会を適用しえない。このような肯定応答は、下位層の肯定応答、ネットワークからの明示的な肯定応答、および同様のものの形態をとりうる。ＷＴＲＵが、ハイブリッドまたはＣＳＧセルにもはや近くないという指示を送信した場合、ＷＴＲＵは、延長測定機会を利用することを自律的に停止することができる（つまり、通常の測定機会に従ってサービングセルの監視を即座に開始する）。あるいは、ＷＴＲＵは、それがネットワークから確認を受信した後、延長測定機会を利用することを停止することができる。
【００６６】
別の例示的なアクションでは、ＷＴＲＵは、ネットワークからの明示的な応答が来るのを待ち、上述の応答に従って活動することができる。ネットワークから応答が届かない場合、ＷＴＲＵは、ネットワークから応答が届くまで指示の再送を行うことができる。
【００６７】
別の例示的なアクションでは、ＷＴＲＵは、バックオフタイマーを適用することができる。バックオフタイマーがタイムアウトになると、ＷＴＲＵは、指示を再送するか、またはＦＡＣＨ測定機会がその後１回もしくは複数回到来したときに延長測定機会を実施することができる。ＷＴＲＵがネットワークから肯定的な応答を受信して延長測定を実行する場合であっても、ＷＴＲＵは、延長測定機会を停止する１つまたは複数のトリガーが本明細書でさらに詳しく説明されているように生じた場合に延長測定を実行しえない。
【００６８】
本開示の実施形態によれば、延長測定機会および／またはその指示の発生を停止するために、さまざまなトリガーイベントを任意の組み合わせで使用することができる。例えば、ＷＴＲＵは、例えば、指示の送信を停止するためにネットワークから専用のシグナリングを受け取ることができる。別の例では、送信元ノード／セルおよび／またはネットワークは、ＷＴＲＵがＣｅｌｌ＿ＦＡＣＨでそのような指示を送信しないということをブロードキャストすることができる。別の例では、ＷＴＲＵは、Ｃｅｌｌ＿ＤＣＨで接近指示を送信しないように構成され、その後、Ｃｅｌｌ＿ＦＡＣＨに対して同じ構成を適用することができる。この例の代替的形態では、ＷＴＲＵは、例えば、ネットワークから、Ｃｅｌｌ＿ＦＡＣＨに対して明示的にそのような構成を受信することができる。別の例では、ＷＴＲＵのＣＳＧセルのリストを、オペレータＣＳＧリスト（ＯＣＬ）が空になるように修正することができ、したがって許可ＣＳＧリスト（ＡＣＬ）は空であるか、または両方である。別の例では、ＷＴＲＵは、ＡＣＬおよび／またはＯＣＬの使用が禁止されることを知らされうる。別の例では、ＷＴＲＵは、例えば、上位層から、アップリンクユーザーデータに対して接続モードに進む要求を受信することができる。別の例では、ＷＴＲＵは、例えば、現在のセル上のトラフィック負荷が閾値を超えている場合に、送信すべきデータ量報告を有しているものとしてよい。別の例では、ＷＴＲＵは、異なるセル／ＲＮＣへのハンドオーバーを実行することができ、ＨＯ、またはターゲットエリア内のブロードキャストメッセージを介して、そのような指示を送信することが禁止されていることを知らされる。別の例では、指示の送信は、定期的タイマーによって制限され、例えば、ＷＴＲＵは、５秒の間に複数の指示を送信することを妨げられうる。別の例では、ＷＴＲＵは、例えば、Ｎ回の失敗、場合によっては、連続的なアクセスチェックの失敗に基づき、ネットワークからの指令により指示を送信することを停止することができる。言い換えると、この例では、ＷＴＲＵは、延長測定機会においてＳＩＢ３の読み取りの一部としてＨＮＢのメンバーでないと判定することができ、ただし、Ｎはデフォルト値を有するか、またはシグナリングで事前構成されうる整数である。さらに別の例では、事前定義された期間が経過し、ＷＴＲＵがＷＴＲＵのホワイトリスト内にあるセルを見つけることができなかった後にＷＴＲＵは延長ＦＡＣＨ測定機会を実施することを停止することができる。この例では、タイマーは、ネットワークによって事前定義または構成されうる。さらに別の例では、ＷＴＲＵは、ホームノードＢセルの近傍を出ていると判定することができる。別の例では、ＷＴＲＵは、トリガーとしてＦＡＣＨまたは拡張ＦＡＣＨ（ＨＳ−ＤＳＣＨ）チャネル上で地震津波警報システム（ＥＴＷＳ）ＰＲＩＭＡＲＹ  ＮＯＴＩＦＩＣＡＴＩＯＮ  ＷＩＴＨ  ＳＥＣＵＲＩＴＹを受信することができる。別の例では、ＷＴＲＵは、システム情報変更指示メッセージ（ＥＴＷＳ情報とＳＩＢの変更とを伴う）を受信することができる。別の例では、ＷＴＲＵは、ホームノードＢセルの近傍を出ていると判定したことでトリガーされうる。
【００６９】
一実施形態では、ＷＴＲＵは、例えば、本明細書で取りあげられている適当な例で説明されているように、そうすることが予想されるか、必要とされるか、要求されるか、または構成されていた場合に延長ＦＡＣＨ測定に対する指示を送信しないことを報告することができる。代替的な例では、ＷＴＲＵは、例えば、フィンガープリント情報に従って、ＨＮＢのカバレッジエリア内にもはや入っていない場合、または例えば、ＷＴＲＵが新しいフィンガープリントデータベースおよび同様のものを構築する必要がある場合に、そのような通知を送信することができる。
【００７０】
本開示のいくつかの実施形態によれば、ＷＴＲＵは、ＷＴＲＵが、例えば、Ｃｅｌｌ＿ＤＣＨにおいてハンドオーバーされたことに応答して１つまたは複数のアクションを実行することができるか、またはＣｅｌｌ＿ＦＡＣＨまたは他の状態においてセル再選択を実行する。一例において、ＷＴＲＵは、送信元ＨＮＢ／ＲＮＣにおいて提案された指示を送信するステータスをターゲットＨＮＢ／ＲＮＣに指示することができる。代替的な一例において、セルの変更がＨＯの一部として実行された場合、ＷＴＲＵは、ターゲットＨＮＢ／ＲＮＣに送信されるハンドオーバー完了メッセージの一部などのステータスを含むことができる。ハンドオーバー完了は、ハンドオーバーの後に送信されるメッセージ、例えば、アクティブセット更新完了を指すことに留意されたい。
【００７１】
一実施形態では、ＷＴＲＵはその構成、例えば、そのような指示を送信することが許可されているかどうかに関する新しい構成または指示を受信していない場合に、例えば送信元ＨＮＢ／ＲＮＣ内に有していた通常または延長測定機会を続けることができる。さらに、指示の送信が、上で説明されているように、タイマーによって保護されている場合、ＷＴＲＵは、適宜、ハンドオーバーまたは再選択の後にタイマーをリセットすることができる。
【００７２】
別の実施形態では、ネットワーク（例えば、ＨＮＢ／ＲＮＣ）は、ＷＴＲＵの構成をターゲットＨＮＢ／ＲＮＣに送ることができる。ＷＴＲＵが潜在的なターゲットＨＮＢのＭＩＢ／ＳＩＢ３を読み取ったときに、ＷＴＲＵは、ＷＴＲＵがそのＣＳＧセルのメンバーでない場合にそのセルにセル更新メッセージを再選択して送信することができる。ＷＴＲＵは、実際には、そのセルのメンバーである場合があるが、ＷＴＲＵとネットワークとの間の同期されていないメンバーシップリストがあるためそのホワイトリスト内にＣＳＧ  ＩＤを有しない。ＷＴＲＵは、セル更新を送信することに加えて、例えばコアネットワークから得る応答に基づき、特定のＣＳＧのメンバーであるかどうかを知るために、ルーティングもしくはロケーションエリア更新メッセージなどのＮＡＳメッセージを送信することができる。あるいは、この目的のために新規セル更新原因を導入することができ、次いでＨＮＢが、それ自体アクセスチェックを実行するか、またはコアネットワーク、例えば、ＳＧＳＮにメンバーシップステータスを要求し、次いで、このメンバーシップ情報に基づきその要求を拒絶するか、または受理することができる。さらに、セル更新拒絶のために新規拒絶原因を導入し、拒絶の理由がメンバーシップステータスにあることをＷＴＲＵに知らせることができる。セル更新が受理された場合、ＷＴＲＵは、次いで、ＣＳＧ  ＩＤをそのホワイトリストに追加することができる。ＷＴＲＵは、延長ＦＡＣＨ測定機会がＷＴＲＵによってサポートされていることを示す指示をネットワーク（ＲＲＣまたはＮＡＳ層、またはその両方での）に送信することができる。これは、システムへの初期アクセス時に、例えば、最初のアタッチで、またはハンドオーバーで、または接続確立毎に、および／または特定の接続確立のときに、および同様のタイミングで実行することができる。
【００７３】
一実施形態では、ＷＴＲＵがＣＥＬＬ＿ＦＡＣＨにおいてセル更新を、セルがＣＳＧセルであるシナリオである場合に、例えば、３ＧＰＰ  ＴＳ  ２５．３３１−Ｖ９．２．０に記載されている原因でセル更新を実行すると、セルは続けてアクセス制御についてＣＮにクエリーを実行することができる。同様に、セルがハイブリッドセルである場合、セルは続けて、メンバーシップステータス検証についてＣＮにクエリーを実行することができる。
【００７４】
別の実施形態では、シグナリングを低減するために、ＣＳＧセルまたはハイブリッドセルは、それぞれセル更新を実行するためにＷＴＲＵがＣｅＬＬ＿ＦＡＣＨモードに至る原因のサブセットに対してアクセス制御またはメンバーシップ検証のクエリーをＣＮに実行することができる。例えば、ＣＳＧセルは、セル更新の原因がセル再選択またはサービスエリア内への再入にある場合にアクセス制御についてクエリーをＣＮに実行することができる。セル再選択の場合、ＷＴＲＵが新規ＣＳＧセルのメンバーでない場合があるためアクセス制御が必要になることがある。サービスエリアに再入する場合には、ＷＴＲＵがサービス範囲の外に出ている間にＣＳＧセルへのＷＴＲＵのメンバーシップが失効している可能性があるためアクセス制御が必要になることがある。同様に、ハイブリッドセルは、セル更新の原因がセル再選択またはサービスエリア内への再入にある場合にメンバーシップ検証についてクエリーをＣＮに実行することができる。この場合、ＷＴＲＵは、ＷＴＲＵがＣＳＧメンバーまたは非ＣＳＧメンバーとしてハイブリッドセルにアクセスしているかどうかに基づき差別化されたサービス品質を付与されうる。
【００７５】
セル更新メッセージは、メッセージタイプ、メンバーシップチェック原因、またはアクセス制御原因、ＷＴＲＵ識別およびＷＴＲＵ能力、ターゲットセルＣＳＧ  ＩＤおよびＷＴＲＵ初期アクセス制御／メンバーシップ検証結果（例えば、メンバー、非メンバーチェック）などのアクセス制御もしくはメンバーシップ検証に必要な情報を含むように修正されうる。
【００７６】
一実施形態では、ＣＳＧセルまたはハイブリッドセルはＷＴＲＵからセル更新を受信したときに、これは、ＣＳＧセルの場合にはアクセス制御を、またはハイブリッドセルの場合にはメンバーシップ検証をＣＮに実行してもらうことを選択することができる。例えば、セルは、新規ＨＮＢＡＰ手順（例えば、アクセス制御手順またはメンバーシップ検証手順）を開始することができる。これに対するパラメータは、３ＧＰＰ  ＴＳ  ２５．４６９−Ｖ９．２．０のＷＴＲＵ登録要求メッセージに類似しているものとしてよい（メッセージタイプ、メンバーシップチェック原因またはアクセス制御原因、ＷＴＲＵ識別、ＷＴＲＵ能力、ＷＴＲＵ初期アクセス制御／メンバーシップ検証結果、例えば、メンバー、非メンバーチェック）。ＣＮ側でアクセス制御を実行し、ＨＮＢ−ＧＷへのその応答を開始した後、ＨＮＢ−ＧＷは、好適なＨＮＢＡＰ手順を開始して、メンバーシップの有効性（例えば、ＣＳＧメンバーシップ有効性）を主張することができる。この手順のパラメータは、メッセージタイプ、ＷＴＲＵ識別、およびメンバーシップステータス（メンバーまたはメンバーでない）を含みうる。一実施形態では、セルは、ＲＡＮＡＰ手順（例えば、アクセス制御手順またはメンバーシップ検証手順）を開始することができる。これに対するパラメータは、メッセージタイプ、メンバーシップチェック原因、またはアクセス制御原因、ＷＴＲＵ識別およびＷＴＲＵ能力、場合によってはＷＴＲＵ初期アクセス制御／メンバーシップ検証結果、例えば、メンバー、非メンバーチェックを含みうる。ＣＮがアクセス制御を実行した後、これは、ＲＡＮＡＰ手順を使用することによってメンバーシップ有効性（例えば、ＣＳＧメンバーシップ有効性、アクセス制御確認またはメンバーシップ検証確認）を指示することができる。パラメータは、メッセージタイプ、ＷＴＲＵ識別、およびメンバーシップステータス（つまり、メンバーまたはメンバーでない）を含みうる。
【００７７】
一実施形態では、セル更新について、ＷＴＲＵがＣｅｌｌ＿ＦＡＣＨ内にあるときに、ＨＮＢ−ＧＷでアクセス制御が実行されうる。
【００７８】
別の実施形態では、ＷＴＲＵがＣｅｌｌ＿ＦＡＣＨ内にある場合、セル更新は受理され、アクセス制御手順に至ることはない。このような場合、ＷＴＲＵのセル更新手順は受理され、ＨＮＢ−ＧＷ（ターゲットセルに対してＧＷの役割を果たすノード）またはＣＮまたは両方のいずれかに対して透過的なものとしてよい。ＷＴＲＵがＣｅｌｌ＿ＤＣＨに移動された後、セルは、ＷＴＲＵに、ＷＴＲＵがメンバーであるＣＳＧセルに、またはハイブリッドセルもしくはオープンセルにハンドオーバーすることができる。このシナリオでは、ＣＳＧセル内へのＷＴＲＵの再選択に成功しても、そのホワイトリストの更新には至らない場合がある。あるいは、ＷＴＲＵへのセル更新確認メッセージは、ＷＴＲＵがＣＳＧ  ＩＤをそのホワイトリストに加えることができないことを示すＩＥを含みうる。
【００７９】
別の実施形態では、ＷＴＲＵがＣｅｌｌ＿ＦＡＣＨにある場合、セル更新は、ターゲットセルによって付与される一時的メンバーシップに基づき受理され、ノードはターゲットセルまたはＣＮに対してＨＮＢ  ＧＷの役割を果たしうる。適宜、ＷＴＲＵは、ターゲットセル（セル更新手順の）が属すＣＳＧをそのホワイトリストに加えることを知らされうる。
【００８０】
アクセス制御（ＣＳＧセル）またはメンバーシップ検証（ハイブリッドセル）を実行した後、Ｃｅｌｌ＿ＦＡＣＨモードでＷＴＲＵによって開始されるセル更新手順は、アクセス制御結果、またはＷＴＲＵが有効なメンバーシップを有していないことを記述するメンバーシップ検証結果により成功しない可能性がある。ＷＴＲＵに通知するために、ＨＮＢは、例えば、ＲＲＣ接続解放手順を使用することができる。そのような場合、新しい原因を使用することができる（例えば、無効なメンバーシップ）。別の例では、ＨＮＢは、ＲＲＣ手順（例えば、セル更新拒絶）を使用することができる。この手順は、メンバーシップが無効であるためセル更新手順が拒絶されたことをＷＴＲＵに知らせ、それにより、Ｃｅｌｌ＿ＦＡＣＨモードに留まっている間に別のセルに再選択するよう暗黙のうちにＷＴＲＵに指令することができる。別の例では、ＨＮＢは、Ｃｅｌｌ＿ＤＣＨモードに入るようにＷＴＲＵに指令することができる。その時点で、ＣＳＧ／ハイブリッドは非ＣＳＧセル、またはＷＴＲＵがメンバーシップを有しているＣＳＧセルのいずれかへのＨＯを開始することができる。この場合、ＣＳＧ／ハイブリッドセルは、セルへの一時的メンバーシップが付与されているとしても、ＣＳＧ  ＩＤをそのホワイトリストに加えることはできないことをＷＴＲＵに知らせるべきであることに留意されたい。
【００８１】
一実施形態では、成功したアクセス制御チェックに関して、セル更新確認メッセージは、アクセス制御が実行されたこと、およびＣＳＧ  ＩＤをそのホワイトリストに追加すべきであることをＷＴＲＵに指示するＩＥを含むものとしてよい。
【００８２】
ＣＳＧ／ハイブリッドセルからＣＳＧ／ハイブリッドセル（例えば、ＨＮＢからＨＮＢ）へのモビリティは、ＣＮに対して透過的であり、ターゲットセルに、またはターゲットセルに対してＨＮＢ−ＧＷの役割を果たすノードに固定されうる。そのようなシナリオでは、ＣＮへのシグナリングを回避することができる。一実施形態では、修正されたアクセス制御がＣＮの介在なしで実行させられる方法が本明細書において開示されている。例えば、ＣＳＧセル内への再選択の後、ＷＴＲＵは、前のセルが同じＣＳＧ  ＩＤを有していたこと、および有効なメンバーとして受理されたことをターゲットＣＳＧ／ハイブリッドセルに（例えば、セル更新手順における新規情報要素、ＩＥとして）知らせることができる。セル更新手順において、ＷＴＲＵは、前のセルのＰＣＩを与えることができる。ＨＮＢＡＰ手順（つまり、ＨＮＢ−ＨＮＢ  ＣＳＧメンバーシップチェック）を使用することで、ターゲットセルは、送信元セルのＣＳＧ  ＩＤが何であるか、またＷＴＲＵがそのＣＳＧ  ＩＤのメンバーと最近みなされたかどうかを調べるよう送信元セルにクエリーを実行することができる。送信元ＣＳＧ／ハイブリットセルは、送信元ＨＮＢのＣＳＧ  ＩＤ、およびＷＴＲＵが有効なメンバーであるとみなされたかどうかを確認することができるＨＮＢＡＰ手順（ＣＳＧ／ハイブリッドセルアクセス制御またはメンバーシップ検証応答または確認メッセージ）で応答することができる。これは、最後のアクセス制御がいつ行われたかを記述するＩＥも備えることができる。別の実施形態では、接近指示を使用して、同じＣＳＧ  ＩＤを持つ前のセルが有効なセルであったことをＨＮＢに知らせることができる。
【００８３】
同じＵ−ＲＮＴＩを共有する２つまたはそれ以上のＷＴＲＵがあるとしてもターゲットＨＮＢまたはＨＮＢ  ＧＷが正しいＷＴＲＵコンテキストをフェッチできるようにするさまざまな技術が本明細書において開示されている。例えば、ＷＴＲＵは、ターゲットＨＮＢでセル更新を実行するときに送信元ＨＮＢの識別を提供することができる。この識別は、例えば、送信元ＨＮＢの一次同期コード（ＰＳＣ）であってよい。次いで、ターゲットＨＮＢは、送信元ＨＮＢの識別をＵ−ＲＮＴＩと一緒に使用して、注目しているＵ−ＲＮＴＩを割り当てた送信元ＨＮＢを一意に識別することができる。この情報はターゲットＨＮＢによってＨＮＢ  ＧＷに転送され、これは、両方の識別（送信元ＨＮＢ  ＩＤおよびＵ−ＲＮＴＩ）を使用して被割り当て側も識別される（送信元ＨＮＢ識別）ときに一意であるＷＴＲＵコンテキストをフェッチすることができる。したがって、コンテキストＩＤは一意であり、正しいＷＴＲＵコンテキストをフェッチすることができる。ＷＴＲＵによって与えられうる他の識別として、セルＩＤ、またはノードＢ  ＩＤがある。
【００８４】
ＷＴＲＵは、ターゲットＨＮＢにＵ−ＲＮＴＩとともに追加の識別を与えることができる。例えば、これは、ＷＴＲＵのＩＭＳＩ、またはＰ−ＴＭＳＩ、またはＴＭＳＩであってよい。ターゲットＨＮＢ（あるいはＨＮＢ  ＧＷ）は、この追加の識別をＵ−ＲＮＴＩと併せて使用し、ＷＴＲＵのコンテキスト（および／またはコンテキストＩＤ）を一意にフェッチすることができる。ターゲットＨＮＢまたはＨＮＢ  ＧＷは、そのようなＷＴＲＵ識別をローカルに保存しておくよう提案することができる。
【００８５】
ＷＴＲＵには、そのサービングＨＮＢ（またはマクロＮＢ）によって使用されるそのコンテキストＩＤが与えられうる。これは、例えば、ＷＴＲＵがアイドルモードから接続モードに遷移する毎に、および／または他の場合において発生しうる。そのため、Ｃｅｌｌ＿ＦＡＣＨモビリティでは、ＷＴＲＵは、そのコンテキストＩＤをＵ−ＲＮＴＩとともに、ターゲットＨＮＢに送信されるセル更新メッセージ内に入れることができる。後者は、両方の識別を使用して、正しいＷＴＲＵコンテキストをフェッチすることができる（これは、ターゲットが必要なメッセージをＨＮＢ  ＧＷへ転送した後にＨＮＢ  ＧＷによっても実行されうる）。
【００８６】
ＷＴＲＵは、緊急通話（例えば、ＩＭＳ緊急通話）が進行中であるときにＨＮＢへのＣｅｌｌ＿ＦＡＣＨを実行することはできない。これは、一意でないＵ−ＲＮＴＩによって引き起こされる問題を回避するものであり、したがって、結果としてターゲットＨＮＢとのＲＲＣ接続の途絶を回避することになる。そこで、ハンドオーバーが要求されるような無線状態である場合、ＷＴＲＵは、最初に、他のＲＲＣ状態、例えば、Ｃｅｌｌ＿ＤＣＨに遷移し、そこで、通常のハンドオーバー、例えば、ＣＳＧへのインバウンドハンドオーバーが発生しうる。
【００８７】
本開示のいくつかの実施形態によれば、ＣＳＧ対応のＷＴＲＵまたはＣＳＧ非対応のＷＴＲＵは、これがメンバーでない隣接セルリスト内のセルを検出したときに、そのセルとの活動を制限することができる。例えば、ＷＴＲＵは、そのセルが一定期間禁止されているとみなすか、またはそのセルをＮＣＬから除外するか、またはこれらを組み合わせて実行することができる。期間の値は、ネットワークからのシグナリングによって知らされるか、または自律的ＷＴＲＵ決定に基づくか、またはこれらの組み合わせで得られるものとすることができる。
【００８８】
メンバーシップ検証は、ＷＴＲＵまたはネットワークによって実装されうる。メンバーシップ検証時間または実行は、ＮＣＬ内のそれぞれのＣＳＧセルまたはハイブリッドセルについてＣＳＧ  ＩＤを加えることによって改善されうる。次いで、ＷＴＲＵは、メンバーシップ検証を即座に実行し、その目的のためにセル検出を実行する必要なく、またはＦＡＣＨ測定機会を利用せずに、ＷＴＲＵがメンバーでないセルを無視することができる。
【００８９】
図５は、本開示の実施形態により隣接セルリストを取り扱う例示的な方法の流れ図である。図５の方法は、図２に示されているＷＴＲＵなどの好適なＷＴＲＵによって実装されうる。図５を参照すると、この方法は、ＷＴＲＵがＮＣＬ内のセルのメンバーでないと判定すること（ステップ５００）を含みうることがわかる。例えば、図２に示されているＷＴＲＵ  １０２は、それがＮＣＬ内のセルのメンバーでないと判定することができる。それがＮＣＬ内のセルのメンバーでないと判定したことに応答して、ＷＴＲＵは、セルとの活動を制限することができる（ステップ５０２）。
【００９０】
特徴および要素が特定の組み合わせで上で説明されているけれども、当業者であれば、それぞれの特徴もしくは要素は単独で、または他の特徴および要素と組み合わせて使用できることを理解するであろう。それに加えて、本明細書で説明されている方法は、コンピュータまたはプロセッサにより実行できるようにコンピュータ可読媒体内に組み込まれたコンピュータプログラム、ソフトウェア、またはファームウェアにより実装されうる。コンピュータ可読媒体の例としては、電子信号（有線で、またはワイヤレス接続で送信される）およびコンピュータ可読記憶媒体が挙げられる。コンピュータ可読記憶媒体の例としては、限定はしないが、ＲＯＭ（リードオンリーメモリ）、ＲＡＭ（ランダムアクセスメモリ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光学媒体が挙げられる。ソフトウェアとの関連性を持つプロセッサは、ＷＴＲＵ、端末、基地局、ＲＮＣ、またはホストコンピュータにおいて使用するための無線周波トランシーバを実装するために使用されうる。
【図１】
2015195600.tif 000003
【図２】
2015195600.tif 000004
【図３】
2015195600.tif 000005
【図４】
2015195600.tif 000006
【図５】
2015195600.tif 000007